(57)【特許請求の範囲】
【請求項１】
少なくとも表層及びシーラント層を有し、被包装物を包装するための包装用樹脂フィルムであって、
前記表層は、前記シーラント層を視認可能な視認部を有し、
前記シーラント層は、ＴｉＯ2を含有し、前記被包装物を遮視する着色がなされていることを特徴とする包装用樹脂フィルム。
【請求項２】
前記シーラント層は、前記表層を介してレーザ光を照射し前記ＴｉＯ2を発色させることにより任意の文字、図形及び記号の少なくとも１つが表示される表示部を有し、
前記表示部は、前記視認部を介して視認可能であることを特徴とする請求項１記載の包装用樹脂フィルム。
【請求項３】
前記着色は、白色であることを特徴とする請求項１または請求項２記載の包装用樹脂フィルム。
【請求項４】
前記シーラント層は、直鎖状低密度ポリエチレン（ＬＬＤＰＥ）層または無延伸ポリプロピレン（ＣＰＰ）層であることを特徴とする請求項１〜請求項３の何れか一項に記載の包装用樹脂フィルム。
【請求項５】
前記表層は、ポリエチレンテレフタレート（ＰＥＴ）層、ナイロン層、ポリエチレン（ＰＥ）層及びポリプロピレン（ＰＰ）層のなかの１つからなる単層、または２つ以上からなる積層であることを特徴とする請求項１〜請求項４の何れか一項に記載の包装用樹脂フィルム。
【請求項６】
前記被包装物は、食品であることを特徴とする請求項１〜請求項５の何れか一項に記載の包装用樹脂フィルム。
【請求項７】
前記食品は、穀粉、穀粉調製品、冷凍食品または乾麺であることを特徴とする請求項６記載の包装用樹脂フィルム。
【請求項８】
前記表示部は、商品名、消費期限、賞味期限、製造所固有番号、内容量、ロット番号及びその他法令上または管理上必要な情報の少なくとも１つを表示することを特徴とする請求項２記載の包装用樹脂フィルム。
【請求項９】
請求項１〜請求項８の何れか一項に記載の包装用樹脂フィルムを用いて前記被包装物を包装することを特徴とする包装体。
【発明の詳細な説明】
【技術分野】
【０００１】
本発明は、被包装物を包装するための包装用樹脂フィルム及び該包装用樹脂フィルムを用いて被包装物を包装した包装体に関するものであり、特に食品を包装するための包装用樹脂フィルム及び包装体に関するものである。
【背景技術】
【０００２】
食品等を包装するための包装用樹脂フィルムには、商品名などの他、消費期限、賞味期限、製造所固有番号、内容量、ロット番号等、法令上または管理上必要な情報が印刷される。これら情報は、概して食品を包装用樹脂フィルムにより包装する直前に、包装用樹脂フィルムの表面に印刷される。しかしながら、包装用樹脂フィルムにより食品を包装した包装体が搬送される際、包装体表面が外部から摩擦を受けることにより、印刷された情報が消失する場合がある。また、包装用樹脂フィルムにより食品を包装した包装体が調理場に置かれた際、油脂類が印刷のインク成分を溶解することにより、印刷された情報が消失する場合がある。
【０００３】
ここで、特許文献１には、外部からの摩擦等による印字の消失を防止するために、基材層、絵柄印刷層、印刷下地層及びシーラント層を順次貼り合わせた包装用積層小袋材について提案されている。印刷下地層はレーザ光による印字可能な白色インキからなる層であり、この印刷下地層にレーザ光を照射することにより包装用積層小袋材に文字等が印刷される。
【０００４】
また、特許文献２には、表層とシール層との間に、酸化チタンを着色剤として用いた白色インキ層を設け、白色インキ層にレーザ光を照射して黒変させることにより印字する包装フィルムへのレーザマーキング方法について記載されている。
【先行技術文献】
【特許文献】
【０００５】
【特許文献１】特開２０１５−６７２８６号公報
【特許文献２】特開２０１３−１４６８８０号公報
【発明の概要】
【発明が解決しようとする課題】
【０００６】
特許文献１及び２記載の包装用樹脂フィルムにおいては、外部からの摩擦等による印字の消失を防止することができるが、表層とシーラント層との間に印刷層を設ける必要があるため、包装用樹脂フィルムの薄化が求められているにもかかわらず、包装用樹脂フィルムの厚さは増大する。
【０００７】
また、包装用樹脂フィルムにおいては、被包装物を遮視する不透明性も求められているが、包装用樹脂フィルムを薄くすると、被包装物が透けるという問題があった。
【０００８】
本発明の目的は、表層とシーラント層との間に印刷層を設けなくとも、外部からの摩擦等により消失しない文字等をレーザマーキングすることができ、且つ被包装物を遮視することができる包装用樹脂フィルム及び該包装用樹脂フィルムを用いて被包装物を包装した包装体を提供することである。
【課題を解決するための手段】
【０００９】
本発明の包装樹脂フィルムは、少なくとも表層及びシーラント層を有し、被包装物を包装するための包装用樹脂フィルムであって、前記表層は、前記シーラント層を視認可能な視認部を有し、前記シーラント層は、ＴｉＯ2を含有し、前記被包装物を遮視する着色がなされていることを特徴とする。
【００１０】
また、本発明の包装用樹脂フィルムは、前記表層を介してレーザ光を照射し前記ＴｉＯ2を発色させることにより任意の文字、図形及び記号の少なくとも１つが表示される表示部を有し、前記表示部は、前記視認部を介して視認可能であることを特徴とする。
【００１１】
また、本発明の包装用樹脂フィルムは、前記着色が白色であることを特徴とする。
【００１２】
また、本発明の包装用樹脂フィルムは、シーラント層が直鎖状低密度ポリエチレン（ＬＬＤＰＥ）層または無延伸ポリプロピレン（ＣＰＰ）層であることを特徴とする。
【００１３】
また、本発明の包装用樹脂フィルムは、前記表層がポリエチレンテレフタレート（ＰＥＴ）層、ナイロン層、ポリエチレン（ＰＥ）層及びポリプロピレン（ＰＰ）層のなかの１つからなる単層、または２つ以上からなる積層であることを特徴とする。
【００１４】
また、本発明の包装用樹脂フィルムは、前記被包装物が食品であることを特徴とする。
【００１５】
また、本発明の包装用樹脂フィルムは、前記食品が穀粉、穀粉調製品、冷凍食品または乾麺であることを特徴とする。
【００１６】
また、本発明の包装用樹脂フィルムは、前記表示部が前記食品の商品名、消費期限、賞味期限、製造所固有番号、内容量、ロット番号及びその他法令上または管理上必要な情報の少なくとも１つを表示することを特徴とする。
【００１７】
また、本発明の包装体は、本発明の包装用樹脂フィルムを用いて前記被包装物を包装することを特徴とする。
【発明の効果】
【００１８】
本発明によれば、表層とシーラント層との間に印刷層を設けなくとも、外部からの摩擦等により消失しない文字等をレーザマーキングすることができ、且つ被包装物を遮視することができる包装用樹脂フィルム及び該包装用樹脂フィルムを用いた包装体を提供することができる。
【図面の簡単な説明】
【００１９】
【図１】実施の形態に係る包装体の概略構成を示す図である。
【図２】実施の形態に係る包装用樹脂フィルムの構成を説明するための図である。
【図３】実施の形態に係る包装用樹脂フィルムの構成を説明するための図である。
【図４】他の包装用樹脂フィルムの構成を説明するための図である。
【図５】実施例に係る包装用樹脂フィルムへの印字結果を示す図である。
【図６】実施例に係る包装用樹脂フィルムへの印字結果を示す図である。
【図７】比較例に係る包装用樹脂フィルムへの印字結果を示す図である。
【発明を実施するための形態】
【００２０】
以下、図面を参照して本発明の実施の形態に係る包装体について説明する。図１は、実施の形態に係る包装体の概略構成を示す図である。この実施の形態に係る包装体２は、包装用樹脂フィルム４を用いて被包装物を包装する横ピロー包装体であって、図１に示すように、包装用樹脂フィルム４により被包装物を包装する際、まず包装用樹脂フィルム４の幅方向の両端部４ａをシールし、次に筒状になった包装用樹脂フィルム４の両側４ｂをシールすることにより作製される横ピロー包装体である。
【００２１】
なお、この実施の形態においては、包装体２として横ピロー包装体を例に挙げて説明するが、横ピロー包装体以外の包装体、例えば四方シールの包装体、三方シールの包装体、スタンディングパウチ、またはスパウトパウチ等にも本発明を適用することができる。また、被包装物としては、例えば小麦粉などの穀粉や、ホットケーキミックスやお好み焼きミックス等の穀粉調製品、冷凍食品、若しくはパスタ、素麺、冷麦、うどん、そば等の乾麺類が挙げられる。
【００２２】
図２及び図３は、被包装物を包装するための包装用樹脂フィルム４の構成を説明するための図である。包装用樹脂フィルム４は、図２及び図３に示すように、表層６及びシーラント層８を有し、包装体２の表面側（外側）となる表層６と包装体２の裏面側（内側）となるシーラント層８とを貼り合わせて構成されている。表層６は、例えばポリエチレンテレフタレート（ＰＥＴ）層、ナイロン層、ポリエチレン（ＰＥ）層及びポリプロピレン（ＰＰ）層のなかの１つからなる単層であり、被包装物の性質、耐熱性、印刷適性、耐油性、ガスバリア性などに応じて適切に選択される。なお、表層６は単層であるが、例えばポリエチレンテレフタレート（ＰＥＴ）層、ナイロン層、ポリエチレン（ＰＥ）層及びポリプロピレン（ＰＰ）層のなかの２つ以上からなる積層を表層として用いてもよい。
【００２３】
また、表層６は、シーラント層８を視認可能な視認部１０を有している。視認部１０は着色されていないため、視認部１０を介してシーラント層８（後述する表示部１２）を視認することができる。なお、この実施の形態においては、視認部１０を構成する領域以外の領域は着色されているが、着色されていなくてもよい。
【００２４】
シーラント層８は、例えば直鎖状低密度ポリエチレン（ＬＬＤＰＥ）層または無延伸ポリプロピレン（ＣＰＰ）層からなり、被包装物の性質、ヒートシール性、シール強度、耐衝撃性などに応じて適切に選択される。シーラント層８の融点は表層６の融点より低いため、所定の温度で包装用樹脂フィルム４を加熱すると、表層６が融けずにシーラント層８のみが融ける。シーラント層８のみが融けることを利用して、包装用樹脂フィルム４により被包装物を包装する際、包装用樹脂フィルム４の幅方向の両端部４ａを加熱し融けた後シールし、筒状になった包装用樹脂フィルム４の両側４ｂを加熱し融けた後シールすることにより包装体２が作製される。
【００２５】
また、シーラント層８は、ＴｉＯ2（酸化チタン）を含有し、被包装物を遮視する着色がなされている。即ち、シーラント層８は、ＴｉＯ2を含有しているため白色である。したがって、包装体２内に収容されている被包装体を、包装体２の外側から視認することはできない。
【００２６】
また、表層６を介してシーラント層８にレーザ光を照射し、シーラント層８に含まれるＴｉＯ2を発色させることにより、シーラント層８に任意の文字、図形及び記号（以下、文字等という。）を表示させることができる。ＴｉＯ2は、レーザ光を照射すると白色から黒色（灰色を含む）に色調変化する。したがって、図３に示すように、シーラント層８にレーザ光を照射し、ＴｉＯ2を白色から黒色１４に変化させることにより文字等がレーザマーキングされる。即ち、シーラント層８に含まれるＴｉＯ2は、被包装物を遮視するための白色顔料として機能するとともに、シーラント層８に表示される文字等をレーザマーキングするための着色剤として機能する。
【００２７】
具体的には、シーラント層８は、文字等の少なくとも１つが表示される所定領域である表示部１２を有し、表示部１２には、文字等の少なくとも１つがレーザマーキングされ表示される。表示部１２は、図２及び図３に示すように、表層６とシーラント層８とを貼り合わせた際に表層６の視認部１０に対応する領域（視認部１０の下面と貼り合わされる領域）に形成される。なお、視認部１０及び表示部１２は、シーラント層８がシールとして機能する領域（４ａ，４ｂ）以外に配置される。
【００２８】
表示部１２は、視認部１０を介して包装体２の外側から視認可能である。表示部１２は、文字等として例えば被包装物である食品の商品名などの他、消費期限、賞味期限、製造所固有番号、内容量、ロット番号等、法令上または管理上必要な情報の少なくとも１つ（以下、消費期限等という。）を表示する。なお、表示部１２が消費期限等以外の文字等を表示してもよい。
【００２９】
表示部１２に表示される文字等は、包装用樹脂フィルム４により被包装物を包装した包装体２が作製される直前に、表層６（視認部１０）を介してレーザ光を照射し、シーラント層８に含まれるＴｉＯ2を発色させることによりレーザマーキングされる。したがって、包装用樹脂フィルム４により被包装物を包装した包装体２が作製されるときまで印字することができない消費期限等を表示するのに適している。
【００３０】
この実施の形態に係る包装体２によれば、表層６とシーラント層８との間に印刷層を設けなくとも、シーラント層８に含まれるＴｉＯ2を発色させることにより表示部１２に文字等をレーザマーキングし、表層６の視認部１０を介して、レーザマーキングされた文字等を視認することができる。したがって、包装体２の外側からの摩擦やインク成分の溶解などによる文字等の滲み、擦れ、崩れ、消失等を防止することができる。また、ＴｉＯ2を発色させることにより文字等をレーザマーキングするため、刻印の文字等と比較して、印字検査装置等による印字検査容易な文字等を表示することができる。
【００３１】
また、表層６とシーラント層８との間に印刷層を設ける必要がないため、包装用樹脂フィルム４の厚さを薄くすることができる。更に、シーラント層８がＴｉＯ2を含有する白色であるため、包装体２内に収容された被包装体を遮視することができる。
【００３２】
なお、上述の実施の形態においては、表層６及びシーラント層８からなる包装用樹脂フィルム４を例に挙げて説明したが、例えば図４に示すように、表層６とシーラント層８との間に少なくとも１つの中間層１６を有する包装用樹脂フィルム４０を用いてもよい。この場合には、表層６だけでなく中間層１６にもシーラント層８（表示部１２）を視認可能な視認部１８を設ける。
【実施例】
【００３３】
（実施例１）
表層として厚さ２０μｍのＯＰＰ（延伸ポリプロピレン）及びシーラント層として厚さ３０μｍの乳白ＬＬＤＰＥ（直鎖状低密度ポリエチレン）からなる包装用樹脂フィルムに、レーザマーカ（オムロン社製：ＭＸ−Ｚ２０００Ｇ）を用いてレーザマーキング（出力：８０％、パルス周波数：１００ｋＨｚ、加工速度：１０００ｍｍ／ｓ）を行った。なお、シーラント層は、ＴｉＯ2（酸化チタン）を含有しており、ＴｉＯ2（酸化チタン）により乳白色に着色されている。シーラント層（ＬＬＤＰＥ）に含まれるＴｉＯ2の量は約５．５％であった。これは、包装用樹脂フィルム（ＯＰＰ及びＬＬＤＰＥ）を燃焼させ灰にし、その灰からＴｉ（チタン）を抽出し、抽出したＴｉがすべてＴｉＯ2で存在したと仮定して、抽出したＴｉの重量からＴｉＯ2の重量を算出する。そして、算出したＴｉＯ2の重量を燃焼させた包装用樹脂フィルムのシーラント層の重量で割った値である。また、レーザマーキングのためのレーザ照射時間を（１）０．６秒、（２）１．２秒、（３）１．８秒、（４）２．４秒と変化させて、塗り潰し条件を太線：１０本、線幅：０．５ｍｍ、線間隔：０．０５ｍｍとし、文字条件を文字幅：４ｍｍ、高さ：４ｍｍ、文字間隔：１ｍｍ、ＬＭフォント使用として印字を行った。図５に（１）〜（４）のすべての場合における印字結果を示す。なお、図５の上から順に（１）、（２）、（３）、（４）の場合における印字結果を示している。図５に示すように、（１）〜（４）のすべての場合において容易に判読可能な印字がなされた。
【００３４】
（実施例２）
実施例１で使用した包装用樹脂フィルムに、レーザマーカ（オムロン社製：ＭＸ−Ｚ２０００Ｇ）を用いてレーザマーキング（出力：８０％、パルス周波数：７０ｋＨｚ、加工速度：５００ｍｍ／ｓレーザ照射時間：１．２秒）を行った。なお、塗り潰し条件及び文字条件は実施例１と同様の条件である。図６に印字結果を示す。但し、図６に示す黒枠は別途印刷したものであって上述のレーザマーキングによるものではない。図６に示すように、容易に判読可能な印字がなされた。
【００３５】
また、出力のみを変化させて、出力以外の条件は上述と同様の条件で印字を行った。出力が８０，７０％の場合においては容易に判読可能な印字がなされた。一方、出力が６０％の場合においては判読可能であるが濃度が薄く読み取り困難な印字がなされた。なお、出力が４０，２０％の場合における印字は判読不能であった。
【００３６】
また、パルス周波数のみを変化させて、パルス周波数以外の条件は上述と同様の条件で印字を行った。パルス周波数が１００，９０，７０，６０ｋＨｚの場合においては容易に判読可能な印字がなされた。一方、パルス周波数が５０ｋＨｚの場合においては判読可能であるが濃度が薄く読み取り困難な印字がなされた。なお、パルス周波数が３０，２０ｋＨｚの場合における印字は判読不能であった。
【００３７】
また、加工速度のみを変化させて、加工速度以外の条件は上述と同様の条件で印字を行った。加工速度が５００ｍｍ／ｓの場合においては容易に判読可能な印字がなされた。一方、加工速度が７００，９００ｍｍ／ｓの場合においては判読可能であるが濃度が薄く読み取り困難な印字がなされた。なお、加工速度が１１００ｍｍ／ｓの場合における印字は判読不能であった。
【００３８】
（比較例）
実施例１で使用した包装用樹脂フィルムに代えて、表層として厚さ２０μｍのＯＰＰ（延伸ポリプロピレン）及びシーラント層として厚さ３０μｍのＬＬＤＰＥ（直鎖状低密度ポリエチレン）からなる包装用樹脂フィルムに、実施例１と同様の条件でレーザマーキングを行った。なお、シーラント層は、ＴｉＯ2（酸化チタン）を含有しておらず、透明である。図７に（１）〜（４）のすべての場合における印字結果を示す。なお、図７の上から順に（１）、（２）、（３）、（４）の場合における印字結果を示している。図７に示すように、（１）〜（４）のすべての場合において印字されなかった。
【００３９】
以上より、ＴｉＯ2を含有し、ＴｉＯ2により着色されているシーラント層を有する包装用樹脂フィルムに、レーザマーキングによる印字は可能であるといえる。
【符号の説明】
【００４０】
２…包装体、４…包装用樹脂フィルム、６…表層、８…シーラント層、１０…視認部、１２…表示部。
【図１】
0006584938.tif 000002
【図２】
0006584938.tif 000003
【図３】
0006584938.tif 000004
【図４】
0006584938.tif 000005
【図５】
0006584938.tif 000006
【図６】
0006584938.tif 000007
【図７】
0006584938.tif 000008